(57)【特許請求の範囲】
【請求項１】
上面に開閉自在に取り付けられた複数の蓋を備えた容器であって、
前記複数の蓋は前記容器を閉じた状態で互いに重なり合う重なり部を有しており、
前記複数の蓋のそれぞれ表側であって前記重なり部において互いに重なり合う位置に、それぞれ異なる識別票が貼付され、
前記複数の蓋が前記容器を閉じるように重なり合った状態において前記異なる識別票のうち上部に露出されたいずれか一の識別票が読み取られるように構成されている
ことを特徴とする容器。
【請求項２】
前記容器の対向する側面にそれぞれ異なる識別票がさらに貼付されたことを特徴とする請求項１に記載の容器。
【請求項３】
前記識別票の少なくとも一部は、当該識別票を被覆するカバーを有するカバー機構をさらに備え、
前記カバー上には当該カバーにより被覆される前記識別票とは異なる識別票が貼付されている
ことを特徴とする請求項１または２に記載の容器。
【請求項４】
前記識別票は、二次元コード、バーコード、カラー識別票、または文字列であることを特徴とする請求項１〜３のいずれか１項に記載の容器。
【請求項５】
上面に開閉自在に取り付けられた複数の蓋を備えた容器であって、前記複数の蓋は前記容器を閉じた状態で互いに重なり合う重なり部を有しており、前記複数の蓋のそれぞれ表側であって前記重なり部において互いに重なり合う位置に、それぞれ異なる識別票が貼付され、前記複数の蓋が前記容器を閉じるように重なり合った状態において前記異なる識別票のうち上部に露出されたいずれか一の識別票が読み取られるように構成されている容器を搬送するコンベアと、
前記容器を閉じた状態における前記複数の蓋のうち、上部に位置する蓋に添付された識別票を読み取るための上面読取器と、
前記上面読取器で読み取られた情報に応じて前記コンベア上の進路を切り替える分岐器と
を備えたことを特徴とする仕分け作業支援システム。
【請求項６】
前記容器の対向する側面にはそれぞれ異なる識別票が貼付されており、
前記側面に添付された識別票を読み取るための側面読取器をさらに備え、
前記容器を閉じた状態における前記複数の蓋のうち上部に位置する蓋に添付された識別票、及び／または、前記側面に添付された識別票を必要に応じて前記上面読取器及び／または側面読取器によって読み取り、
前記読み取られた情報に応じて前記コンベア上の進路を切り替える
ことを特徴とする請求項５に記載の仕分け作業支援システム。
【発明の詳細な説明】
【技術分野】
【０００１】
本発明は、広く集品容器や該集品容器を使用した作業支援システムに関し、より具体的には蓋付きの集品容器や該集品容器を使用した仕分け作業（オーダーピッキング）支援システム等に関する。
【背景技術】
【０００２】
従来、製品や商品の出荷等に伴い、配送センター等にて製品や商品をピッキングしたりピッキング作業を支援したりする技術が提供されてきた。
【０００３】
例えば、ピッキング作業を実行しないピッキング棚や群のゾーンへ集品容器を移動させることによって作業員の作業効率の低下を防止するピッキング設備が提案されている（特許文献１）。
【０００４】
すわなち、特許文献１には、ピッキングされる物品の集品を行う集品容器１４に、この集品容器１４をラインに沿って移動させるか移動させないかどうかを識別する分岐不許可ラベル３１が取り付けられる。この構成によれば、集品容器１４に付された分岐不許可ラベル３１により集品容器１４をラインに沿って移動させるか移動させないかどうかが判断され、ピッキング作業を実行しない集品容器１４がラインに沿って移動することを防止でき、作業員のピッキング作業効率を改善することができるとされている。
【０００５】
また、使用状態の切り替え作業を効率良く確実に行うことができる物品収納容器も提案されている（特許文献２）。
【０００６】
すなわち、特許文献２には、物品を収納する収納空間を複数の区画に分割する仕切体が着脱自在に備えられ、前記仕切体を装着した分割使用状態と前記仕切体を装着しない一体使用状態とに切り換え自在に構成され、前記一体使用状態における前記収納空間を識別する収納空間識別体及び前記分割使用状態における前記区画の夫々を識別する複数の区画識別体が備えられた物品収納容器であって、前記収納空間識別体が容器本体に取り付けられ、前記区画識別体が、前記分割使用状態で識別作用可能となる状態で前記仕切体に一体的に取り付けられ、前記仕切体が、前記分割使用状態で前記収納空間識別体を識別作用不可能となる状態で覆うカバー部を備えて構成されている物品収納容器が開示されている。
【先行技術文献】
【特許文献】
【０００７】
【特許文献１】特開２００２−０８７５４８号公報
【特許文献２】特開２０１０−２６９８０７号公報
【発明の概要】
【発明が解決しようとする課題】
【０００８】
しかしながら、従来の集品容器や設備では、ピッキング作業中の集品容器の役割を変更するために異なるパーツを付け替える必要があった。また、蓋を閉じたままの集品容器に異なる役割を課したりするための工夫はなされていなかった。
また、１日に何度も使い回しされる集品容器に対し、その構成を変えることなく多くの役割を課すことができれば、仕分け作業効率の向上が期待できる。
【課題を解決するための手段】
【０００９】
そこで、本発明の一実施形態にかかる集品容器は、上面に開閉自在に取り付けられた複数の蓋を備えた容器であって、前記複数の蓋は前記容器を閉じた状態で互いに重なり合う重なり部を有しており、前記複数の蓋の前記重なり部において互いに重なり合う位置にそれぞれ異なる識別票が貼付されたことを特徴とする。
【００１０】
また、前記容器の対向する側面にそれぞれ異なる識別票がさらに貼付されたことを特徴とする。
【発明の効果】
【００１１】
本発明の一実施形態にかかる集品容器及び仕分け作業支援システムによれば、その構成を変えることなく多くの役割を課すことができる集品容器を提供することができ、かかる集品容器を使用して仕分け作業効率を向上させることができる等の効果を奏する。
【図面の簡単な説明】
【００１２】
【図１】本発明の一実施形態にかかる集品容器の外観構成を説明する説明図（（Ａ）外観斜視図、（Ｂ）外観斜視拡大図）である。
【図２】本発明の一実施形態にかかる集品容器に貼付される識別票の様子を説明する説明図である。
【図３】本発明の一実施形態にかかる集品容器に貼付される識別票のバリエーションを説明する説明図である。
【図４Ａ】本発明の他の実施形態にかかる集品容器に貼付される識別票のバリエーションを説明する説明図である。
【図４Ｂ】本発明の他の実施形態にかかる集品容器に貼付される識別票のバリエーションを説明する説明図である。
【図４Ｃ】本発明の他の実施形態にかかる集品容器に貼付される識別票のバリエーションを説明する説明図である。
【図５】本発明の一実施形態にかかる集品容器及び仕分け作業支援システムの構成概念を説明する説明図である。
【図６】本発明の一実施形態にかかる集品容器及び仕分け作業支援システムの動作概念を説明する説明図である。
【図７】本発明の一実施形態にかかる集品容器における情報提示例を説明する説明図である。
【図８】本発明の他の実施形態にかかる仕分け作業支援システムにおける構成のバリエーションを説明する説明図である。
【発明を実施するための形態】
【００１３】
以下、本発明の一実施形態にかかる集品容器及び仕分け作業支援システムについて、図面を参照しながら詳細に説明する。
なお、本発明の実施形態における「集品容器」は、広く蓋付きの容器をいい、容器の使用目的は必ずしも集品に限られない。容器に収められるものは、１以上の物品のほか、液体等の流動物も含まれる。また、蓋の枚数は基本的に複数枚であるが２枚に限定されるものではなく、それ以上の枚数でも差し支えない（例えば、それぞれが直角二等辺三角形の４枚の開閉蓋によって立方体形状の容器の上面開放部分を開閉させることができる）。
【００１４】
図１（Ａ）に、本発明の一実施形態にかかる集品容器の外観構成を説明する斜視図を示す。集品容器１００は、容器本体１０１と、容器本体１０１の上面に開閉自在に取り付けられた蓋１０２および蓋１０３とを有する。蓋１０２及び蓋１０３はそれぞれ容器本体１０１の対向する側部に図示しない蝶番機構等を介して取り付けられている。
【００１５】
図１（Ｂ）に、本発明の一実施形態にかかる集品容器の蓋部の外観斜視拡大図を示す。蓋１０２および蓋１０３が閉じられたとき、蓋１０２のフラップ部１０２１および蓋１０３のフラップ部１０３１は互いに重なり合い、重なり部を形成するように設計されている。つまり、一方のフラップ部が他方のフラップ部の上部に重なることにより露出しているとき、当該他方のフラップ部は露出したフラップ部によって遮蔽された状態となる。集品容器を扱う作業員等は、蓋１０２のフラップ部１０２１を上にして重ねることもできるし、蓋１０３のフラップ部１０３１を上にして重ねることもできる。
【００１６】
そして、本発明の一実施形態においては、蓋１０２のフラップ部１０２１を上部にして重ねた場合であっても、蓋１０３のフラップ部１０３１を上部にして重ねた場合であっても、閉じられた両蓋全体の水平が保たれるように、一例として、両フラップ部は蓋における他の部分よりも薄く形成されたり、フィン状に形成されたりできる。さらに、可撓性を有するように形成されることもできる。
【００１７】
図２（Ａ）〜図２（Ｄ）に、本発明の一実施形態にかかる集品容器に貼付される識別票を示す。ここで、識別票には、後述するような二次元コード、バーコード、カラー識別票、文字識別票が含まれ、集品容器の行き先や属性などの情報と関連付けられ、これらを識別できる識別票が広く採用されうる。
【００１８】
図２（Ａ）に示されるように、集品容器２００は、集品容器２００の上面に開閉自在に取り付けられた蓋２０２および蓋２０３を有している。蓋２０２および蓋２０３が閉じられたとき、蓋２０２のフラップ部２０２１および蓋２０３のフラップ部２０３１は互いに重なり合い、重なり部を形成するように設計されている。
【００１９】
また、集品容器２００の側面には識別票が貼付されている。図２（Ｂ）に示されるように、本発明の一実施形態にかかる集品容器では、蓋２０２が取り付けられている側の側面には側面バーコード２０１１ａが貼付され、蓋２０３が取り付けられている側の側面には側面バーコード２０１１ｂが貼付される。
【００２０】
また、図２（Ａ）、図２（Ｃ）、および図２（Ｄ）に示されるように、蓋２０２および蓋２０３にも識別票が貼付されている。本発明の一実施形態にかかる集品容器では、蓋２０２のフラップ部２０２１には二次元コード２０２２が貼付され、蓋２０３のフラップ部２０３１には二次元コード２０３２が貼付される。
【００２１】
ここで、蓋２０２のフラップ部２０２１を上にして重ねたときは、二次元コード２０２２が外部に露出し、二次元コード２０３２は蓋２０２のフラップ部２０２１によって遮蔽されて外部に露出しないようになっている（図２（Ｃ））。逆に、蓋２０３のフラップ部２０３１を上にして重ねたときは、二次元コード２０３２が外部に露出し、二次元コード２０２２は遮蔽されて外部に露出しないようになっている（図２（Ｄ））。つまり、蓋２０２および蓋２０３が閉じられたとき、二次元コード２０２２または二次元コード２０３２のいずれかが容器上部に露出するようになっている。
さらに、本発明はこれに限定されるものではないが、一実施形態においては、二次元コード２０２２及び２０３３は、集品容器を真上から見た場合に互いに重なり合う位置にそれぞれ貼付される。
【００２２】
集品容器２００に貼付されたこれらの識別票は、一実施形態においてコードリーダーやＣＭＯＳイメージセンサなどの光学読取手段（以下、「読取器」という用語を使用することもある。）により読み取られる。本発明の一実施形態においては、集品容器側面に貼付された識別票のうち、いずれかの側面の識別票から読み取られた情報と、蓋２０２および蓋２０３に貼付された識別票のうち、上部に露出しているいずれか一方の識別票から読み取られた情報との組み合わせに基づいて、例えば、搬送コンベア上に載置された集品容器２００の搬送進路を切り替える制御を行わせることができる。本発明の一実施形態においては、集品容器側面に貼付された識別票は、一側面および対向する側面に１種類ずつで合計２種類、蓋２０２および蓋２０３に貼付された識別票が各蓋に１種類ずつで合計２種類存在する。そして、集品容器上方から容器蓋部に貼付された識別票を読み取る光学読取手段（「上面読取器」ともいう。）１つと、集品容器側方から容器側面に貼付された識別票を読み取る光学読取手段（「側面読取器」ともいう。）１つを設けることにより、蓋の重ね方（蓋２０２を上部にするか、蓋２０３を上部にするか）及び集品容器を搬送コンベアに載置する向き（どちらの側面を光学読取手段に向けるか）の組み合わせで計４パターンの搬送進路切り替え制御を行うことが可能である。
【００２３】
図３（Ａ）及び図３（Ｂ）に、本発明の一実施形態にかかる集品容器に貼付される識別票のバリエーションを示す。図３（Ａ）に示すバリエーションでは、識別票３０１に二次元コード３０２が貼付または印刷されている。二次元コード３０２は、ＱＲコード（登録商標）のほか、バーコードであってもよい。さらに、識別票３０１には文字表記エリア３０３が設けられている。一実施形態において、文字表記エリア３０３には、二次元コード３０２に含まれる情報に対応した文字列（表記）が貼付または印刷されている。この文字列（表記）は１以上の文字及び／または数字等の連続であり、例えば、１文字の場合には「Ａ」、「Ｂ」、「１」、「２」などが採用される。文字表記エリアに記された文字（列）は、そのまま二次元コード化されてもよいがこれに制限されるものではなく、他のコードを含むこともできるし、あるいは全く異なるコードと対応付けることもできる。文字表記エリア３０３に記される文字（列）は、集品容器を扱う作業員が二次元コードを容易に識別ないし区別でき、かつ確実に把握できるようにするための表記である。一例として、集品容器の一側面に識別票「１」が二次元コードとともに貼付され、他方の側面には識別票「２」が二次元コードとともに貼付され、両蓋にはそれぞれ「Ａ」及び「Ｂ」という識別票が二次元コードとともに貼付されている場合において、作業員は、両蓋の合わせ方と光学的読取手段に向ける集品容器の向きによって、搬送コンベア上の搬送進路を「Ａ−１」、「Ａ−２」、「Ｂ−１」、「Ｂ−２」と指定することができる。
【００２４】
図３（Ｂ）に、本発明の一実施形態にかかる集品容器に貼付される識別票の他のバリエーションを示す。図３（Ｂ）に示すバリエーションでは、二次元コードの代わりに識別票３５１にはカラー識別票３５２が貼付または印刷されている。文字表記エリア３５３や、そこに表記される文字列に関しては、図３（Ａ）を参照して説明したバリエーションと同様である。
なお、図３（Ｂ）に示されたカラー識別票３５２は、色を識別可能な光学読取手段によって読み取られる。
【００２５】
さらに他のバリエーションにおいては、識別票には、二次元コードもカラー識別票も貼付ないし印刷されず、文字列（表記）のみが貼付ないし印刷される。この場合、文字列（表記）は、光学読取手段によって文字認識されて読み取られる。
【００２６】
図４Ａに、本発明の他の実施形態にかかる集品容器に貼付される識別票のバリエーションを示す。図４Ａに示すバリエーションでは、識別票上に、バーコード（または二次元コード）が貼付または印刷されたエリアがあり、さらにこのエリアを遮蔽するカバー４０１が設けられている。カバー４０１には所定の色付けがなされている。
【００２７】
カバー４０１がバーコードを遮蔽していない状態（カバーオープン状態）のとき、光学的読取手段はバーコードの情報を読み取る（場合によっては、カバー４０１の色も併せて読み取られる）。一方で、カバー４０１がバーコードを遮蔽している状態（カバークローズ状態）のとき、光学的読取手段はカバー４０１の色のみを読み取る。従って、本発明の一実施形態においては、カバーオープン状態とカバークローズ状態とで２種類の識別票（バーコードの情報が読み取れた場合のバーコード情報、及びバーコードの情報が読み取れなかった場合におけるカラー情報）を表現することができ、これを集品容器両側面に貼付された識別票および両蓋に貼付された識別票に適用すると、それらの組み合わせで４（両蓋で表現できる識別票の表現数）×４（両側面で表現できる識別票の表現数）＝１６パターンを表現することができるようになる。さらに、集品容器側面の識別票を４側面全てに貼付すれば、集品容器側面の識別票は合計８種類を表現することができ、これらの組み合わせによる３２パターンを表現することができる。なお、図４Ａを参照して説明した実施形態においては、光学的読取手段はバーコード（または二次元コード）読取機能および色認識機能の両方を備える必要がある。
【００２８】
図４Ｂに、本発明の他の実施形態にかかる集品容器に貼付される識別票の他のバリエーションを示す。図４Ｂに示すバリエーションでは、図４Ａに示したバリエーションにおけるバーコードが貼付ないし印刷されていたエリア（地のエリア）にカラー識別票が貼付ないし印刷されている。さらにこのエリアを遮蔽するカバー４０２が設けられている。カバー４０２にはさきほどの地のエリアに付された色とは異なる色付けがなされている。
【００２９】
カバー４０２が地のエリアを遮蔽していない状態（カバーオープン状態）のとき、光学的読取手段は地のエリアの色を読み取る（場合によっては、カバー４０２の色も併せて読み取られる）。一方で、カバー４０２がバーコードを遮蔽している状態（カバークローズ状態）のとき、光学的読取手段はカバー４０２の色のみを読み取る。従って、本発明の一実施形態においては、カバーオープン状態とカバークローズ状態とで２種類の識別票（地のエリアの色及びカバーの色が読み取れた場合の色情報、及びカバーの色のみが読み取れた場合の色情報）を表現することができる。
【００３０】
この場合の集品容器全体で表現可能な識別票の組み合わせは、図４Ａを参照して説明した実施形態と同様に最大３２パターンである。
なお、図４Ｂを参照して説明した実施形態においては、光学的読取手段は色認識機能のみを備えていればよい。
【００３１】
図４Ｃに、本発明の他の実施形態にかかる集品容器に貼付される識別票のさらに他のバリエーションを示す。図４Ｃに示すバリエーションでは、図４Ａ及び図４Ｂで示したものと同様のカバー４０３を備えた識別票の地のエリア及びカバー４０３の双方に文字（列）が貼付ないし印刷されている。
【００３２】
カバー４０３が地のエリアを遮蔽していない状態（カバーオープン状態）のとき、光学的読取手段は地のエリアの文字（列）を読み取る（場合によっては、カバー４０３の文字（列）も併せて読み取られる）。一方で、カバー４０２がバーコードを遮蔽している状態（カバークローズ状態）のとき、光学的読取手段はカバー４０２の文字（列）のみを読み取る。従って、本発明の一実施形態においては、カバーオープン状態とカバークローズ状態とで２種類の識別票（地のエリアの文字（列）及びカバーの文字（列）が読み取れた場合の識別情報、及びカバーの文字（列）のみが読み取れた場合の識別情報）を表現することができる。
【００３３】
この場合の集品容器全体で表現可能な識別票の組み合わせは、図４Ａ及び図４Ｂを参照して説明した実施形態と同様に最大３２パターンである。
なお、図４Ｃを参照して説明した実施形態においては、光学的読取手段は文字認識機能を備えている必要がある。
【００３４】
図５に、本発明の一実施形態にかかる集品容器及び仕分け作業支援システムの外観構成例を示す。仕分け作業支援システム５００は、搬送コンベア５０１（後述するように分岐路を有する）、搬送コンベア５０１の上方にコンベアに沿って設置された吊るしバー５０２、集品容器の蓋に貼付ないし印刷された二次元コードを読み取るために吊るしバー５０２に取り付けられた二次元コード読取装置（上面読取器）５０２１、集品容器側面に貼付ないし印刷された二次元コードを読み取るための二次元コード読取装置（側面読取器）５０３を備える。搬送コンベア５０１上に載置され搬送される集品容器５１０は、その上面に開閉自在に取り付けられた蓋５１２および蓋５１３を有しており、各蓋には識別票として蓋５１２の二次元コード５１２２および蓋５１３の二次元コード（不図示）が貼付されている。また、集品容器５１０の一側面には識別票として二次元コード５１１１ｂが、対向する側面には別の二次元コード（不図示）が貼付されている。
【００３５】
図５に示される本発明の一実施形態においては、集品容器５１０が搬送コンベア５０１上に載置され、所定の位置（典型的には、二次元コードの読み取り位置）まで搬送されてくると、二次元コード読取装置５０２１によって上部に露出している方の蓋の二次元コード（ここでは二次元コード５１２２）が読み取られるとともに、バーコード読取装置５０３によって読取装置側に向いている方の二次元コード（ここでは二次元コード５１１１ｂ）が読み取られるように構成される。
【００３６】
図６に、本発明の一実施形態にかかる仕分け作業支援システムを示す。システム６００において、作業員は、自らの意思または指示（図７を参照して後述）に基づいて、搬送コンベア６０１に集品容器を載置する（このときの集品容器の両上蓋の合わせ方、及び載置の向きによって行き先を指定することができる）。集品容器が所定の位置（典型的には、二次元コードの読み取り位置）まで搬送されると、二次元コード読取装置（上面読取器）６０２によって重なり合った蓋のうち上部になっている蓋の二次元コードが読み取られるとともに、集品容器側面の二次元コード読取装置（側面読取器）６０３によって読取装置側に向いた側面の二次元コードが読み取られる。
【００３７】
図６においては、集品容器側面に貼付された識別票のうち、いずれかの側面の識別票から読み取られた情報と、重なり合った両蓋（ここでは、「蓋Ａ」および「蓋Ｂ」とする。）に貼付された識別票のうち、上部になっているいずれか一方の蓋の識別票から読み取られた情報との組み合わせに基づいて、搬送コンベア上に載置された集品容器６１１〜６１３の搬送進路が切り替えられる。本発明の一実施形態においては、集品容器側面に貼付された識別票が一側面および対向する側面に１種類ずつで合計２種類、蓋Ａおよび蓋Ｂに貼付された識別票が各蓋に１種類ずつで合計２種類存在するため、二次元コード読取装置６０２及び６０３に読み込ませる際の蓋の重ね合わせ方及び集品容器の載置の向きの組み合わせにより、最大４パターンの搬送進路を切り替えることができる。一例として、集品容器の一側面に貼付された識別票に「１」、対向する側面に貼付された識別票に「２」、蓋Ａに貼付された識別票に「Ａ」、蓋Ｂに貼付された識別票に「Ｂ」という情報が含まれている場合、二次元コード読取装置６０２及び６０３に読み込ませる際の蓋の重ね合わせ方及び集品容器の載置の向きの組み合わせにより、「Ａ−１」、「Ａ−２」、「Ｂ−１」、「Ｂ−２」という４パターンの搬送先を指示することができる。
【００３８】
図６に示されるように、搬送コンベア６０１は分岐しており、各分岐点には図示しない分岐器ないし進路切替機構が設けられている。一実施形態においては、二次元コード読取装置によって読み取られた情報に基づいて決定された搬送先に従って分岐器ないし進路切替機構が切替制御され、集品容器６１１〜６１３の搬送進路が適宜切り替えられる。
【００３９】
例えば、ある集品容器を搬送コンベアに載置する際に、蓋Ａを上部にして蓋Ａ及び蓋Ｂを重ね合わせるように閉じた状態で、側面に「２」が貼付されたほうを読取装置６０３へ向けてコンベアに載置すると、その集品容器の識別票は読取装置６０２及び６０３に読み込まれ、行先Ａ−２へ向かうように適宜分岐器ないし進路切替機構が適宜制御される。
【００４０】
図７に、本発明の一実施形態にかかる仕分け作業支援システムにおける集品容器の情報提示例を示す。一実施形態において、作業員は、集品容器７５０の蓋部に貼り付けないし取り付けられた行き先ラベル７５４の文字列表記を参照しながら、集品容器７５０の上面（蓋７５２及び蓋７５３）の識別票および集品容器側面の識別票（図７において不図示）を、行き先ラベル７５４に記された指示どおりの状態にする（例えば、図７では行き先ラベルの表記に従った結果、蓋７５２が上になるように閉じられ、二次元コード７５２２が確認できる）。
なお、図７には表れていないが、行き先ラベル７５４には、「Ａ−１」、「Ａ−２」、「Ｂ−１」、「Ｂ−２」といった行き先が記されており、このラベルは、使い回しが前提とされ、着脱可能（あるいは張り替え容易）に構成される。
【００４１】
一実施形態において、本発明にかかる集品容器は、本発明の一実施形態にかかる仕分け作業支援システムにおいて、１日に何度も使い回しすることができる。この場合、上述した簡便な行き先指定方法により、作業上の効率の向上が期待できる。
【００４２】
図８（Ａ）および図８（Ｂ）に、本発明の他の実施形態にかかる仕分け作業支援システムの構成概念のバリエーションを示す。図６に示した例では搬送コンベアの分岐が単一の平面内での分岐となっていたが、分岐の態様はこれに限られるわけではなく、図８（Ａ）および図８（Ｂ）に示すように、少なくとも一部の分岐が立体的な分岐であってもよい。図８（Ａ）では、図中左下から始まるコンベア進路における最初の分岐点８０１で、「上昇（上のフロアへの移動などを想定）」、「直進」、「右折」の３種類の進路が用意され、「上昇」した場合と「直進」した場合においては、それぞれ目的の行き先へ進行することとなる。また、さきほどの最初の分岐点８０１で「右折」した場合の次の分岐点８０２では、「上昇」、「（向かって）左折」の２種類の進路が用意され、それぞれ目的の行き先へ進行することとなる。計４つの行き先が用意されている。
【００４３】
また、図８（Ｂ）では、図中左下から始まるコンベア進路における１番目の分岐点８１１で、「上昇（上のフロアへの移動などを想定）」、「直進」の２種類の進路が用意され、「直進」した場合においては１つの行き先へ向かう。次に、分岐点８１１で「上昇」した場合の２番目の分岐点８１２で、同様に「上昇」、「直進」の２種類の進路が用意され、「直進」した場合においては１つの行き先へ向かう。次に、分岐点８１２で「上昇」した場合の３番目の分岐点８１３で、同様に「上昇」、「直進」の２種類の進路が用意され、「上昇」した場合と「直進」した場合とにおいてそれぞれ別の行き先へ向かう。計４つの行き先が用意されている。
【００４４】
なお、分岐の数についても、本発明はこれを限定するものではなく、識別票の組み合わせのパターン数に応じて、４以上の分岐を備える構成としてもよい。
【００４５】
以上、具体例に基づき、本発明の一実施形態にかかる集品容器及び仕分け作業支援システムの実施形態を説明したが、本発明の実施形態としては、システム又は装置を実施するための方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【００４６】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【００４７】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【００４８】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【００４９】
また、本明細書（特許請求の範囲、要約、及び図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【００５０】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【００５１】
１００、２００、５１０  集品容器
１０１  容器本体
１０２、１０３、２０２、２０３、５１２、５１３  蓋
１０２１、１０３１、２０２１、２０３１  フラップ部
５００  仕分け作業支援システム
５０１  搬送コンベア
５０２  吊るしバー
５０２１、５０３  二次元コード読取装置（カメラ等）
【要約】
【課題】  仕分け作業効率を向上させる蓋付き容器等を提供する。
【解決手段】  上面に開閉自在に取り付けられた複数の蓋を備えた容器であって、前記複数の蓋は前記容器を閉じた状態で互いに重なり合う重なり部を有しており、前記複数の蓋の前記重なり部において互いに重なり合う位置にそれぞれ異なる識別票が貼付されたことを特徴とする。
【選択図】  図２【図１】
0006689438.tif 000002
【図２】
0006689438.tif 000003
【図３】
0006689438.tif 000004
【図４Ａ】
0006689438.tif 000005
【図４Ｂ】
0006689438.tif 000006
【図４Ｃ】
0006689438.tif 000007
【図５】
0006689438.tif 000008
【図６】
0006689438.tif 000009
【図７】
0006689438.tif 000010
【図８】
0006689438.tif 000011